(57)【要約】  【課題】  高価なマルチセッションＶＰＮルータを用いないで、ＶＰＮ通信を利用したテレビ会議をおこなう。  【解決手段】  従来の回線に、レイヤ２スイッチングハブ３、１３を介して、ＶＰＮルータ７、１７を接続し、かかるＶＰＮルータ７、１７について固定ＩＰアドレスを設定するとともに、ＶＰＮルータ７、１７に、ルータに固定グローバルアドレスにてログインするためのＩＤおよびパスワードと、互いにもう一方のＶＰＮルータ７，１７のＩＰアドレスおよびＶＰＮ通信条件とを設定する。光終端装置１０５，２０５からルータ１１０，１２０，２１０、２２０間をマルチセッション通信可能としている。  【選択図】  図２
2006324855.tif 000002
【特許請求の範囲】
【請求項１】
構内終端装置と接続されるレイヤ２スイッチングハブ、
前記レイヤ２スイッチングハブを介して、前記構内終端装置に接続される第１のルータであって、他の１又は複数台のコンピュータと接続される第１のルータ、
前記レイヤ２スイッチングハブを介して、前記構内終端装置に接続されるＶＰＮ通信が可能なＶＰＮルータであって、テレビ電話装置が接続されるＶＰＮルータ、
を備え、
前記構内終端装置は、地域通信網を介して、インタネットと接続する第１のプロバイダルータおよび第２のプロバイダルータに接続され、
前記第１のルータには、前記第１のプロバイダルータに固定グローバルアドレスまたは変動グローバルアドレスにてログインするためのＩＤおよびパスワードを設定し、
前記ＶＰＮルータには、前記第２のプロバイダルータに固定グローバルアドレスにてログインするためのＩＤおよびパスワードと、ＶＰＮ通信するもう一方のＶＰＮルータのＩＰアドレスおよびＶＰＮ通信条件を設定し、
前記構内終端装置から前記第１のプロバイダルータおよび第２のプロバイダルータ間をマルチセッション通信可能としたこと、
を特徴とするインターネットテレビ電話システム。
【発明の詳細な説明】
【技術分野】
【０００１】
この発明は、インターネットテレビ電話システムに関し、特にＶＰＮセッションを含む複数セッション確保に関する。
【背景技術】
【０００２】
特許文献１には、インターネットプロトコル仮想私設網(ＩＰ−ＶＰＮ)を形成して設備費や通信費を削減したＴＶ会議システムが開示されている。
【０００３】
【特許文献１】特開2002-374509号  上記のようなＩＰ−ＶＰＮを構築する場合、例えば、図１に示すようなシステム構成が考えられる、このシステムでは、光ファイバーを用いた一般的なインターネット接続に用いるルータに変えて、ＶＰＮ対応のマルチセッションルータ１００が採用されている。
【０００４】
マルチセッションルータ１００には、２セッションの通信が設定される。１つのセッションは、社内ＬＡＮに接続されたコンピュータをインターネットに接続するためのものであり、第１のプロバイダ用のルータ１１０との間でセッションが確保される。また、もう一方のセッションは、テレビ会議システム１４０用のセッションであり、第２のプロバイダ用のルータ１２０との間でセッションが確保される。また、マルチセッションルータ１００はＶＰＮ対応であるので、テレビ会議装置１４０におけるリアルタイムの暗号化をＶＰＮ通信で対応することができる。
【０００５】
なお、このようなＶＰＮ対応のマルチセッションルータはレイヤ３のスイッチング機能を有するので、社内ＬＡＮに接続しているコンピュータ群と、テレビ会議装置とを完全に分離することができる。
【０００６】
しかしながら、このようなＶＰＮ対応のマルチセッションルータは高価であり、また、既に、インターネット接続ができている場合でも、マルチセッションルータの設定が完了するまでは設定済みのセッションも使用できず、設定を誤ると、すでに確立している社内ＬＡＮに接続しているコンピュータ群によるインターネット接続もできないという問題があった。
【発明の開示】
【発明が解決しようとする課題】
【０００７】
この発明は、インターネットテレビ電話システムのＶＰＮ設定について、簡易な構成で、かつ異なるセッションとして確保可能なインターネットテレビ電話システムを提供することを目的とする。
【課題を解決するための手段】
【０００８】
本発明にかかるインターネットテレビ電話システムは、a)構内終端装置と接続されるレイヤ２スイッチングハブ、b)前記レイヤ２スイッチングハブを介して、前記構内終端装置に接続される第１のルータであって、他の１又は複数台のコンピュータと接続される第１のルータ、c)前記レイヤ２スイッチングハブを介して、前記構内終端装置に接続されるＶＰＮ通信が可能なＶＰＮルータであって、テレビ電話が接続されるＶＰＮルータを備え、d)前記構内終端装置は、地域通信網を介して、インタネットと接続する第１のプロバイダルータおよび第２のプロバイダルータに接続され、e)前記第１のルータには、前記第１のプロバイダルータに固定グローバルアドレスまたは変動グローバルアドレスにてログインするためのＩＤおよびパスワードを設定し、f)前記ＶＰＮルータには、前記第２のプロバイダルータに固定グローバルアドレスにてログインするためのＩＤおよびパスワードと、ＶＰＮ通信するもう一方のＶＰＮルータのＩＰアドレスおよびＶＰＮ通信条件を設定し、g)前記構内終端装置から前記第１のプロバイダルータおよび第２のプロバイダルータ間をマルチセッション通信可能としている。このように、第１のルータと第１のプロバイダルータとの間に、レイヤ２スイッチングハブを設け、このレイヤ２スイッチングハブにＶＰＮルータを接続し、前記ＶＰＮルータに、前記第２のプロバイダルータに固定グローバルアドレスにてログインするためのＩＤおよびパスワードと、ＶＰＮ通信するもう一方のＶＰＮルータのＩＰアドレスおよびＶＰＮ通信条件とを設定するとともに、前記構内終端装置から前記第１のプロバイダルータおよび第２のプロバイダルータ間をマルチセッション通信可能とすることにより、前記第１ルータの設定を変更することなく、前記もう一方のＶＰＮルータとの間で、テレビ電話装置を用いたＶＰＮ通信が可能となる。
【０００９】
なお、本明細書において「構内終端装置」とは、実施形態では光終端装置が該当するが、ＡＤＳＬの終端装置も含む概念である。
【発明を実施するための最良の形態】
【００１０】
本発明の一実施形態を図１に基づいて説明する。インターネットテレビ電話システム１は、レイヤ２スイッチングハブ３、ルータ５、ＶＰＮルータ７、テレビ会議装置１４０を備えた第１システム２、レイヤ２スイッチングハブ１３、ルータ１５、ＶＰＮルータ１７、テレビ会議装置２４０を備えた第２システム１２で構成されている。以下は、第１システム２について説明する。
【００１１】
第１システム２のレイヤ２スイッチングハブ３は、構内終端装置である光終端装置１０５と接続されている。光終端装置１０５は、地域通信網１０７を介して、第１のプロバイダルータであるルータ１１０、および第２のプロバイダルータであるルータ１２０に接続されている。ルータ１１０およびルータ１２０はインターネットと接続されている。
【００１２】
レイヤ２スイッチングハブ３には、第１のルータであるルータ５と、ＶＰＮルータ７が接続されている。ルータ５には１又は複数台のコンピュータと接続されている。ルータ５には、ルータ１１０に固定グローバルアドレスまたは変動グローバルアドレスにてログインするためのＩＤおよびパスワードが設定されている。ＶＰＮルータ７は、ＶＰＮ通信が可能なＶＰＮルータであり、テレビ電話が接続されている。ＶＰＮルータ７には、ルータ１２０に固定グローバルアドレスにてログインするためのＩＤおよびパスワードと、ＶＰＮ通信するもう一方のＶＰＮルータのＩＰアドレスおよびＶＰＮ通信条件とが設定されている。本実施形態においては、第２システムのＶＰＮルータ１７との間でＶＰＮ通信を行うので、ＶＰＮルータ１７のＩＰアドレスおよびＶＰＮ通信条件（暗号化方式など）が記憶される。
【００１３】
光終端装置１０５からルータ１１０、１２０間は、マルチセッション通信可能に構成されている。具体的には、光終端装置１０５からルータ１１０、１２０間には、図示しない地域網提供コンピュータが存在しており、かかる地域網提供コンピュータがそのような設定がなされている。
【００１４】
第２システムは、第１システムと同じ構成である。なお、ルータ１５には、第１のプロバイダルータであるルータ２１０に固定グローバルアドレスまたは変動グローバルアドレスにてログインするためのＩＤおよびパスワードが設定されている。ＶＰＮルータ１７には、第２のプロバイダルータであるルータ２２０に固定グローバルアドレスにてログインするためのＩＤおよびパスワードと、ＶＰＮ通信するもう一方のＶＰＮルータ７のＩＰアドレスおよびＶＰＮ通信条件とが設定されている。
【００１５】
ＶＰＮルータ７，１７間でＶＰＮ通信セッションが確保された後の、テレビ会議については、説明は省略する。
【００１６】
なお、ＶＰＮ通信を用いなくとも、テレビ会議装置１４０、２４０間で音声および動画を暗号化して送ればインターネットを用いた場合でも守秘性を確保したテレビ会議が可能である。しかし、テレビ会議においては、動画データのリアルタイム送信も要求される。もし、これらの暗号化処理をテレビ会議システムで行う場合には、テレビ会議装置１４０、２４０は高性能の装置が必要となる。これに対して、本件では、暗号化はＶＰＮルータが行うので、テレビ会議装置は簡易なもので構成することができる。
【００１７】
このように、本実施形態においては、一般的なインターネット接続環境に対して、レイヤ２スイッチングハブ３，１３を介して、ＶＰＮルータ７、１７を接続し、かかるＶＰＮルータ７、１７について固定ＩＰアドレスを設定するとともに、前記ＶＰＮルータ７、１７に、それぞれルータ１１０，２１０に固定グローバルアドレスにてログインするためのＩＤおよびパスワードを設定し、さらに、互いにもう一方のＶＰＮルータ７，１７のＩＰアドレスおよびＶＰＮ通信条件とを設定する。さらに、光終端装置１０５からルータ１１０，１２０、光終端装置２０５から、ルータ２１０、２２０間をマルチセッション通信可能としている。したがって、ルータ５，１５の設定を変更することなく、ＶＰＮルータ７とルータ１７間で、テレビ電話装置を用いたＶＰＮ通信が可能となる。
【００１８】
とくに、レイヤ３スイッチングハブ機能を有するＶＰＮマルチセッションルータという高価な装置を用いることなく、ＶＰＮ通信が可能である。
【００１９】
なお、上記実施形態においては、ＶＰＮ通信を行うアプリケーションとしてテレビ会議システムを採用したが、これ以外のＶＰＮ通信にも当然応用することができる。
【００２０】
また、構内終端装置として光終端装置を採用したが、ＡＤＳＬ等の高速通信網を採用してもよい。
【００２１】
なお、上記実施形態においては、ＶＰＮルータ７とＶＰＮルータ１７が接続されるプロバイダルータは同じプロバイダのルータでもよいし、異なるプロバイダのルータでもよい。いずれにしても、ログインするルータとの間で固定ＩＰアドレスのアクセスができる契約を行い、当該ＩＤとパスワードをＶＰＮルータ内に設定すればよい。
【図面の簡単な説明】
【００２２】
【図１】マルチセッションルータを用いた場合のインターネットテレビ電話システムの概要図である。
【図２】本発明にかかるインターネットテレビ電話システムの概要図である。
【符号の説明】
【００２３】
１・・・・インターネットテレビ電話システム
３・・・・レイヤ２スイッチングハブ
７・・・・ＶＰＮルータ
【図１】
2006324855.tif 000003
【図２】
2006324855.tif 000004